(57)【要約】【課題】  断熱性を低下させることなく、冷蔵庫等の設置後において補強の必要な箇所のみを補強可能にした断熱床パネルの補強構造及び補強方法を提供すること。【解決手段】  断熱性を有する構造物例えば冷蔵庫１の床部を構成する床パネル２における据付台４で支持されない補強が必要な部位に貫通孔１１を設け、貫通孔１１内に筒状の補強材１２を嵌挿して、補強材１２の先端を設置面３に当接し、貫通孔１１内に嵌挿された補強材１２内に断熱材１３を注入し充填する。これにより、断熱床パネル２の断熱性を低下させることなく、冷蔵庫１の設置後において補強の必要な箇所のみを補強することができる。【選択図】    図１
2005274011.tif 000002
【特許請求の範囲】
【請求項１】
断熱性を有する構造物の床部を構成すると共に、設置面に適宜間隔をおいて敷設された据付台上に載置される断熱性の床パネルの補強構造であって、
上記床パネルにおける上記据付台で支持されない部位に設けられる貫通孔と、
上記貫通孔内に嵌挿されて上記設置面に当接する筒状の補強材と、
上記貫通孔内に嵌挿された上記補強材内に充填される断熱材と、を具備することを特徴とする断熱床パネルの補強構造。
【請求項２】
請求項１記載の断熱床パネルの補強構造において、
上記補強材が、断熱性を有する合成樹脂製部材である、ことを特徴とする断熱床パネルの補強構造。
【請求項３】
断熱性を有する構造物の床部を構成すると共に、設置面に適宜間隔をおいて敷設された据付台上に載置される断熱性の床パネルの補強方法であって、
上記床パネルにおける上記据付台で支持されない補強が必要な部位に貫通孔を設ける工程と、
上記貫通孔内に筒状の補強材体を嵌挿して、補強材の先端を上記設置面に当接する工程と、
上記貫通孔内に嵌挿された上記補強材内に断熱材を注入し充填する工程と、を有することを特徴とする断熱床パネルの補強方法。
【請求項４】
断熱性を有する構造物の床部を構成すると共に、設置面に適宜間隔をおいて敷設された据付台上に載置される断熱性の床パネルの補強方法であって、
上記床パネルにおける上記据付台で支持されない補強が必要な部位に貫通孔を設ける工程と、
上記貫通孔が設けられた上記床パネルと設置面との距離に応じた長さに上記補強材を切断する工程と、    
上記貫通孔内に筒状の補強材体を嵌挿して、補強材の先端を上記設置面に当接する工程と、
上記貫通孔内に嵌挿された上記補強材内に断熱材を注入し充填する工程と、を有することを特徴とする断熱床パネルの補強方法。
【請求項５】
請求項３又は４記載の断熱床パネルの補強方法において、
上記補強材に、断熱性を有する合成樹脂製部材を用いることを特徴とする断熱床パネルの補強方法。
【発明の詳細な説明】
【技術分野】
【０００１】
この発明は、例えば冷蔵庫、冷凍庫、保管庫、あるいは保冷凍庫（以下に、冷蔵庫等という）の床部を構成する断熱床パネルの補強構造及び補強方法に関するものである。
【背景技術】
【０００２】
従来、冷蔵庫等の床部を構成する断熱床パネルとして、一対の例えばアルミニウム製表面板間に、例えば発泡ポリウレタン等の発泡断熱材を注入・充填した断熱パネルが使用されている。また、図５に示すように、冷蔵庫１等を設置する場合は、設置面３との間に配水管を配管するスペースを確保するために、断熱床パネル２を、設置面上に適宜間隔をおいて敷設された複数の据付台４上に載置した状態で設置している。
【０００３】
ところで、冷蔵庫１等内に重荷重の保冷物Ａが収容される場合がある。この場合、断熱床パネル自体は耐強度性が低いため、重荷重の保冷物Ａが据付台４のない部分に載置されると、保冷物Ａの荷重Ｗによって床パネルが変形してしまう（図６参照）。
【０００４】
この問題を解決するために、床パネル自体を補強する必要があり、例えば床パネル本体の内部に金属板や合板を挟み込んで一体化する構造のものが知られている（例えば、特許文献１参照）。
【０００５】
また、床パネルの強度を高めるために、据付台の間隔を狭くする方法も考えられる。
【特許文献１】特開平９−１７０２６３号公報（特許請求の範囲、図１、図２、図３）
【発明の開示】
【発明が解決しようとする課題】
【０００６】
しかしながら、特開平９−１７０２６３号公報に記載の床パネル自体を補強するものは、パネル本体の内部に金属板が介在されるので、断熱性が低下するという問題がある。また、床パネル自体を補強するものにおいても、設置面に適宜間隔をおいて敷設された据付台の上部に床パネルを載置するため、据付台で支持されない部分に重荷重の保冷物が位置した場合、その部分が変形する虞がある。
【０００７】
また、据付台の間隔を狭くする場合においても、配水管等の配管スペース等の確保のために間隔に限度があり、同様に据付台で支持されない部分に重荷重の保冷物が位置した場合には、その部分が変形する虞がある。
【０００８】
また、上記のいずれのものにおいても、冷蔵庫等の設置時に床パネルの強度が決まってしまい、設置後に補強するためには、床パネル全体を交換しなければならないとい問題がある。
【０００９】
この発明は、上記事情に鑑みてなされたもので、断熱性を低下させることなく、冷蔵庫等の設置後において補強の必要な箇所のみを補強可能にした断熱床パネルの補強構造及び補強方法を提供することを目的とするものである。
【課題を解決するための手段】
【００１０】
上記課題を解決するために、この発明の断熱床パネルの補強構造は、断熱性を有する構造物の床部を構成すると共に、設置面に適宜間隔をおいて敷設された据付台上に載置される断熱性の床パネルの補強構造であって、  上記床パネルにおける上記据付台で支持されない部位に設けられる貫通孔と、  上記貫通孔内に嵌挿されて上記設置面に当接する筒状の補強材と、  上記貫通孔内に嵌挿された上記補強材内に充填される断熱材と、を具備することを特徴とする（請求項１）。
【００１１】
また、この発明の断熱床パネルの補強方法は、上記補強構造を必要に応じて実効させるもので、断熱性を有する構造物の床部を構成すると共に、設置面に適宜間隔をおいて敷設された据付台上に載置される断熱性の床パネルの補強方法であって、  上記床パネルにおける上記据付台で支持されない補強が必要な部位に貫通孔を設ける工程と、  上記貫通孔内に筒状の補強材を嵌挿して、補強材の先端を上記設置面に当接する工程と、  上記貫通孔内に嵌挿された上記補強材内に断熱材を注入し充填する工程と、を有することを特徴とする（請求項３）。
【００１２】
また、この発明の別の断熱パネルの補強方法は、  断熱性を有する構造物の床部を構成すると共に、設置面に適宜間隔をおいて敷設された据付台上に載置される断熱性の床パネルの補強方法であって、  上記床パネルにおける上記据付台で支持されない補強が必要な部位に貫通孔を設ける工程と、  上記貫通孔が設けられた上記床パネルと設置面との距離に応じた長さに上記補強材を切断する工程と、  上記貫通孔内に筒状の補強材体を嵌挿して、補強材の先端を上記設置面に当接する工程と、  上記貫通孔内に嵌挿された上記補強材内に断熱材を注入し充填する工程と、を有することを特徴とする（請求項４）。
【００１３】
この発明において、上記補強材は、床パネルに設けられた貫通孔内に嵌挿されて、先端が設置面に当接される筒状のものであれば、その材質は任意のものであってもよいが、好ましくは、補強材は断熱性を有する筒状の合成樹脂製部材とする方がよい（請求項２，５）。
【発明の効果】
【００１４】
この発明によれば、上記のように構成されているので、以下のような効果が得られる。
【００１５】
（１）請求項１，３記載の発明によれば、設置面に適宜間隔をおいて敷設された据付台上に載置される断熱床パネルにおける据付台で支持されない補強が必要な部位に貫通孔を設け、この貫通孔内に筒状の補強材を嵌挿して、補強材の先端を設置面に当接し、貫通孔内に嵌挿された補強材内に断熱材を注入し充填することにより、床パネルの断熱性を低下させることなく、設置後の床部を必要に応じて補強することができる。
【００１６】
（２）請求項４記載の発明によれば、床パネルに貫通孔を設けた後に、床パネルと設置面との距離に応じた長さに補強材を切断して補強材を作製するので、上記（１）に加えて更に現場での補強作業の効率を高めることができる。
【００１７】
（３）請求項２，５記載の発明によれば、補強材に断熱性を有する筒状の合成樹脂製部材を用いることにより、上記（１），（２）に加えて更に貫通孔部の断熱性を高めることができる。
【発明を実施するための最良の形態】
【００１８】
以下に、この発明に係る断熱床パネルの補強構造の最良の実施形態を添付図面に基づいて詳細に説明する。
【００１９】
図１は、この発明に係る断熱床パネルの補強構造をプレハブ式の冷蔵庫に適用した場合の一例を示す概略断面図、図２は、床部の一部を断面で示す概略平面図、図３は、補強部の拡大断面図である。
【００２０】
上記冷蔵庫１は、この冷蔵庫１の床部を構成する断熱床パネル２（以下に床パネル２という）が、設置面３に適宜間隔をおいて敷設された据付台４の上に載置された状態で設置されている。床部は、例えば、重荷重の保冷物Ａが載置される補強が必要な床パネル２の一部（図２では６箇所の場合を示す）に補強部１０が施されている。なお、床パネル２の表面には、金属プレート５が敷設されている。
【００２１】
上記床パネル２は、図３に示すように、例えばアルミニウム製の一対の表面板２１と、これら表面板２１の辺部間に装着される例えば合成樹脂製の枠材２２と、両表面板２１と枠材２２とで形成された空間内に充填される例えば発泡ポリウレタン等の断熱性心材２３とで構成されている。なお、枠材２２の一側面（上面）には凹条２４が形成されており、この凹条２４に、冷蔵庫１の壁部を構成する断熱性の壁パネル６の枠材２２Ａに形成された凸条２５が嵌合した状態で、床パネル２と壁パネル６が直交状に連結されている。
【００２２】
上記床パネル２の補強部１０は、床パネル２における据付台４によって支持されない部位に設けられた貫通孔１１と、この貫通孔１１内に嵌挿されて先端が設置面３に当接する断熱性を有する筒状の合成樹脂製の補強材１２と、貫通孔１１内に嵌挿された補強材１２内に充填される断熱材１３とで構成されている。
【００２３】
この場合、補強材１２は、例えば塩化ビニル等の合成樹脂製部材の円筒体によって形成されている。また、断熱材１３は、例えば発泡ポリウレタン等の発泡断熱材によって形成されている。
【００２４】
上記のように床パネル２の補強部１０を構成することにより、冷蔵庫１の床部を構成する床パネル２の据付台４によって支持されていない部分を、断熱性を低下させずに補強を施すことができ、保冷物Ａが載置されて荷重Ｗが負荷されても床パネル２は変形することがない。
【００２５】
次に、床パネル２の補強方法の手順について、図４を参照して説明する。
【００２６】
まず、床パネル２の上面に敷設されている金属プレート５を持ち上げて取り除き、床パネル２の補強を施す箇所に貫通孔１１を開ける（図４（ａ）参照）。
【００２７】
貫通孔１１を開けた後、床パネル２の上方からメジャー等の計測器を貫通孔１１内に挿入して、床パネル２と設置面３との距離を計測し、測定した床パネル２と設置面３との距離に応じた長さに補強材１２を切断する（図４（ｂ）参照）。
【００２８】
次に、貫通孔１１内に筒状の補強材１２を嵌挿し、補強材１２の先端を設置面３に当接させる（図４（ｂ）参照）。
【００２９】
貫通孔１１内に嵌挿された補強材１２内に断熱材供給装置３０のノズル３１を挿入し、ノズル３１から発泡断熱材１３を注入して充填する（図４（ｃ）参照）。
【００３０】
発泡断熱材１３を補強材１２内に注入して充填した後、養生のために所定時間放置して断熱材１３を固化させる（図４（ｄ）参照）。このとき、補強材１２は、塩化ビニル等の断熱性を有する合成樹脂製部材によって形成されているので、断熱材１３の注入・充填後の固化によって貫通孔１１の内周面に圧接される。養生により断熱材１３の固化を確認した後、床パネル２の上面に金属プレート５を敷設して補強作業を終了する（図４（ｅ）参照）。
【００３１】
上記のようにして、床パネル２を補強することにより、設置後の冷蔵庫１の床部の断熱性を低下させずに必要に応じて簡単に補強することができる。
【００３２】
なお、上記実施形態では、補強材を塩化ビニル製部材によって形成したが、塩化ビニル以外の断熱性を有する合成樹脂製部材であってもよい。
【００３３】
また、上記実施形態では、この発明に係る断熱床パネルの補強構造（方法）を冷蔵庫の床部に適用した場合について説明したが、冷蔵庫以外の断熱性を有する構造物、例えば冷凍庫、保冷庫等においても同様に適用できる。
【図面の簡単な説明】
【００３４】
【図１】この発明に係る断熱床パネルの補強構造をプレハブ式の冷蔵庫に適用した場合の一例を示す概略断面図である。
【図２】床部の一部を断面で示す概略平面図である。
【図３】補強部の拡大断面図である。
【図４】この発明に係る断熱床パネルの補強方法の手順を示す説明図である。
【図５】従来の冷蔵庫の床部を示す概略断面図である。
【図６】従来の冷蔵庫の床部の一部を示す拡大断面図である。
【符号の説明】
【００３５】
２  床パネル（断熱床パネル）
３  設置面
４  据付台
１０  補強部
１１  貫通孔
１２  筒状の補強材
１３  断熱材
【図１】
2005274011.tif 000003
【図２】
2005274011.tif 000004
【図３】
2005274011.tif 000005
【図４】
2005274011.tif 000006
【図５】
2005274011.tif 000007
【図６】
2005274011.tif 000008